(57)【要約】【課題】建設工事において、造るべき構造物の高さや、取付物の設置高さの位置を木杭やコンクリート壁面等に容易に、かつ、正確に印付けすることができるよう、標尺に取り付ける冶具を提供する。【解決手段】建設工事に用いられる標尺に取り付ける冶具であって、傾斜状の形状を有していることで作業者が印付けをする場所が容易に目視でき、かつ、正確に印付けができるような形状に形成する。また、本体が上下に分割され、それぞれが連結された状態で回転することから測量者の位置に関わらず、容易かつ正確に印付け作業ができるような形状に形成する。【選択図】図１
2013221932.tif 000002
【特許請求の範囲】
【請求項１】
建設工事に用いられる標尺に取りつけられる冶具であって、本体の一部が傾斜状の形状を有することを特徴とする冶具。
【請求項２】
建設工事に用いられる高さ等を計測するための標尺に取りつけられる冶具であって、上部分と下部分が接合された構造となっており、それぞれ３６０度回転することが出来ることを特徴とした冶具。
【発明の詳細な説明】
【技術分野】
【０００１】  本発明は、建設工事等に用いられる標尺に取付ける冶具に関するものである。
【技術背景】
【０００２】  建設工事においては造るべき構造物の高さや、取付物の設置高さの位置を木杭やコンクリート壁面等に印付けをする作業が生じる。
【０００３】  設置高さの位置を印付けする方法として、木杭やコンクリート壁面などの対象物に標尺をあてがい、水準計測器を通して標尺を目視する測量者の指示に従って、作業者が対象物に鉛筆などで設置高さを印付けしていく方法が一般的に採られている。
【発明の概要】
【発明が解決しようとする課題】
【０００４】  標尺は厚みのある直方体形状であり、作業者からはその厚みゆえに標尺の下端に隠れている対象物を目視することが困難であり、正確に印付けを行うことが容易には出来なかった。また標尺の厚みゆえに印付けをする筆記具の角度も制限されるため、作業者は自由に手首を動かして作業することが出来なかった。特に印付けをすべき位置が腰より低いような場合において正確に印付けを行うには、身体を大きく屈めるなどの体勢をとる必要があり、作業効率の悪化を招いていた。さらに標尺は直方体形状の一面のみに目盛が付されているため測量者の位置によっては目盛を読み取ることが困難であり、さらなる作業効率の悪化を招くという問題があった。【０００５】  かかる問題点に鑑み、本発明は、容易かつ正確に設置高さの印付けをすることができるように、さらには、測量者の位置にかかわらず正確に印付けができるように、標尺に取付ける冶具を提供することで、作業効率の改善を図ることを目的とする。
【課題を解決するための手段】
【０００６】  前記目的を達成するために、本発明は、設置高さの印付けをするために建設工事現場で用いられる標尺に取付ける冶具であって、下端側は傾斜を有している構成となっている。【０００７】  また、本発明は、標尺を取付ける上部分と、傾斜を有する下部分に分かれており、上部分と下部分は軸などにより連結されており、それぞれが３６０度回転する構成となっている。
【発明の効果】
【０００８】  本発明による冶具によれば、印付けする場所が容易に目視できるため、また筆記具の角度が制限を受けないために手首を自由に動かすことが出来きることから、正確な位置に印付けができる。また印付けをすべき位置が腰より低いような場合においても、大きく身を屈めなくとも正確な位置に印付けを行うことが容易となり、作業効率の改善が図られる。【０００９】  また、冶具の形状を上部分と下部分に分割し、３６０度回転できるようにすることで、標尺の目盛を測量者が読み取りやすい方向に向けることが可能となることから、さらに正確な印付を行うことが容易となり、さらに作業効率の改善が図られるといった効果もある。
【図面の簡単な説明】
【００１０】
【図１】本発明に係る冶具を示す斜視図である。
【図２】標尺に本発明に係る冶具に取付けた状態を表す斜視図である。
【図３】本発明に係る冶具が回転する状態を表す斜視図である。
【図４】標尺を用いて印付けをする従来方法の状態を、拡大して示す説明図である。なお、図中の矢印は作業者の目線を示している。
【図５】標尺に本発明に係る冶具を取付けた上で印付けをしている状態を、拡大して示す説明図である。なお、図中の矢印は作業者の目線を示している。
【図６】標尺を用いて印付けをする従来方法の状態の一例を示す説明図である。
【図７】標尺を用いて印付けをする従来方法の状態の一例を示す説明図である。
【図８】標尺に本発明に係る冶具を取り付けた上で印付けをしている状態の一例を示す説明図である。
【図９】標尺に本発明に係る冶具を取り付けた上で印付けをしている状態の一例を示す説明図である。
【発明を実施するための形態】
【００１１】  以下、本発明による冶具の実施形態を図面に基づいて説明する。
【００１２】  図１は、本発明よる冶具１を示す斜視図である。冶具１は上部分１ａと下部分１ｂとで構成され、軸部３により連結されている。
【００１３】  図２は標尺２を取付けた状況の図である。上部分１ａは標尺２を取り付けられるような形状であり、必要に応じて固定具４にて標尺２を固定する。上部分１ａは固定具４が印付けをする対象物に干渉しないような形状である必要がある。下部分１ｂの下端側は傾斜状とする。この構成により作業者は印付けする場所が容易に目視できるようになり、また筆記具７を使用する角度が制限を受けず、手首を自由に動かすことが出来る。
【００１４】  図３は上部分１ａが回転する状況を表した図である。上部分１ａと下部分１ｂは軸部３で連結され３６０度回転する。この構成により、測量者はその位置に関わらず標尺２の目盛２ａを読み取ることが可能になり、作業者に的確な指示を出せることから、正確な印付けを行うことが出来る。
【００１５】  図４、図５は印付けをする部分の状態を拡大して示す説明図である。図４は従来からの方法による状態を示している。標尺２の厚みゆえに斜め上方からの目線では、印付けをする対象物６が目視できず、また筆記具７を標尺２の下方向から使用しなければ正確な印付けが困難である。また正確に印付けをするには、筆記具７を使用する角度が制限される。一方、図５では冶具１を使用している状態を示しており、印付けをする対象物６が斜め上方からでも容易に目視できる。さらに筆記具７を使用する角度が制限されず、作業しやすく正確な印付けができる。
【００１６】  図６、図７は従来からの方法で印付けを行っている状態の例を示す説明図である。標尺２が厚みを有しているために作業者８は大きく目線を下げて印付けを行わなければならない上、筆記具７の角度が制限され手首を自由に動かすことが出来ない。特に図７のように、印付けをする高さが腰よりも低いような場所では大きく身を屈めて目線を落とす必要がある。地盤付近の工事においてはこのような作業が往々にしてあり作業効率の悪化を招いていた。
【００１７】  図８、図９は冶具１を使用して印付けを行っている状態の例を示す説明図である。冶具１を使用することで目線を落とす必要がなく、筆記具７の角度も制限されずに手首を自由に動かすことが出来るため、正確に印付けができる。特に図９のように、印付けをする高さが腰よりも低いような場所でも大きく身を屈める必要なく正確な印付けが可能である。また身体の苦痛も緩和され作業効率の改善が図れる。
【符号の説明】
【００１７】１    冶具
１ａ  上部分
１ｂ  下部分
２    標尺
２ａ  目盛
３    軸部
４    固定具
５    印付けをする対象物
６    筆記具
７    作業者
【図１】
2013221932.tif 000003
【図２】
2013221932.tif 000004
【図３】
2013221932.tif 000005
【図４】
2013221932.tif 000006
【図５】
2013221932.tif 000007
【図６】
2013221932.tif 000008
【図７】
2013221932.tif 000009
【図８】
2013221932.tif 000010
【図９】
2013221932.tif 000011